(57)【要約】【課題】帯状のシートに貼り付けられた媒体に、媒体の幅サイズを超える画像を幅サイズに収まる大きさに分割して印刷する場合、複数の媒体を貼り合わせる作業の作業性を向上したテープ、テープロール、及びテープカセットを提供する。【解決手段】テープ６０は、帯状のシート７、複数組の第一媒体８及び第二媒体９、分離線４３、４４を備える。第一媒体８及び第二媒体９は、シート７の長手方向１６に隣接且つ離間して剥離可能に貼り付けられる。第一分離線４４は長手方向１６において同じ組の第一媒体８と第二媒体９との間となるシート７の一端７１から他端７３の間に延びる。第二分離線４３は幅方向１７において第二媒体９の中心Ｍ２と第二媒体９の一端９３との間、且つ長手方向１６において第二媒体９の一端９１から他端９２となるシート７の部分９５に設けられる。分離線４３、４４はシート７の厚み方向に貫通又は切り込まれた部分を含む。【選択図】図５
2019043017.tif 000002
【特許請求の範囲】
【請求項１】
帯状のシートと、
前記シートの長手方向に、隣接して配置される第一媒体及び第二媒体であって、前記第一媒体と前記第二媒体とが前記長手方向に離間して剥離可能に貼り付けられている、複数組の前記第一媒体及び前記第二媒体と、
前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、
前記幅方向において、前記幅方向における前記第二媒体の中心と、前記幅方向における前記第二媒体の前記中心に対して、前記幅方向における前記シートの前記一端側に位置する前記幅方向における前記第二媒体の一端との間に延び、且つ、少なくとも、前記長手方向において、前記長手方向における前記第二媒体の中心に対して、前記長手方向における前記シートの一端側の前記長手方向における前記第二媒体の一端から他端までとなる前記シートの部分であって、前記第二媒体が貼り付けられた前記シートの部分に設けられた、前記シートの厚み方向に貫通又は切り込まれた部分を含む第二分離線と
を備えることを特徴とするテープ。
【請求項２】
前記同じ組の前記第一媒体及び前記第二媒体において、前記第一媒体は前記第二媒体に対して、前記長手方向における前記シートの前記一端側に配置され、
前記第二分離線は、前記同じ組の前記第二媒体が貼り付けられた前記シートの部分と、前記第一媒体が貼り付けられた前記シートの部分とを含む、前記長手方向における前記第一媒体の中心に対して、前記長手方向における前記シートの前記一端側の前記長手方向における前記第一媒体の一端と、前記長手方向における前記第二媒体の前記他端との間に延びることを特徴とする請求項１に記載のテープ。
【請求項３】
前記第一分離線は、前記幅方向において、前記第二分離線から前記幅方向における前記シートの前記他端まで延び、且つ、前記第二分離線と前記幅方向における前記シートの前記一端との間には延びていないことを特徴とする請求項１又は２に記載のテープ。
【請求項４】
前記第一分離線は、
前記幅方向における前記シートの前記他端から、前記幅方向における前記シートの前記他端よりも前記第二分離線に近い特定位置まで、前記幅方向に平行に延びる第一部分と、
前記特定位置から前記第二分離線まで、前記第二媒体に近づく方向に延びる第二部分とを有する、
ことを特徴とする請求項３に記載のテープ。
【請求項５】
前記幅方向における前記シートの前記一端は、前記幅方向における前記第一媒体の一端、及び、前記幅方向における前記第二媒体の前記一端よりも、前記幅方向における前記第二媒体の前記中心から遠く、
前記第一分離線は、前記幅方向における前記シートの前記一端まで延びることを特徴とする請求項３又は４の何れかに記載のテープ。
【請求項６】
前記第二分離線は、前記幅方向において、前記幅方向における前記シートの前記一端から３ｍｍ以上離間した位置に配置されることを特徴とする請求項３から５の何れかに記載のテープ。
【請求項７】
前記第二分離線は、前記シートの前記第一媒体が貼られた部分を避けて形成されることを特徴とする請求項１に記載のテープ。
【請求項８】
前記第二媒体は、前記第二媒体の地色と異なる第一色で少なくとも形成され、前記長手方向に延びる画像を備えることを特徴とする請求項１〜７の何れかに記載のテープ。
【請求項９】
前記画像は、前記幅方向における前記第二媒体の前記中心と、前記幅方向における前記第二媒体の他端との間に配置されることを特徴とする請求項８に記載のテープ。
【請求項１０】
円形、三角形、及び菱形の何れか１つの形状の媒体であって、前記シートの前記長手方向において、前記複数組の前記第一媒体及び前記第二媒体の内の、前記シートの前記長手方向に隣合う２組の前記第一媒体及び前記第二媒体の間に配置される第三媒体を更に備えることを特徴とする請求項１〜９の何れかに記載のテープ。
【請求項１１】
前記長手方向における前記第一媒体の中心に対して、前記長手方向における前記シートの前記一端側の前記長手方向における前記第一媒体の一端と、前記長手方向における前記第一媒体の他端との間の距離よりも、前記長手方向における前記第一媒体の他端から距離が大きい前記シートの部分において、前記幅方向における前記シートの前記一端と、前記幅方向における前記第一媒体の中心との間に位置する第一終点まで延びる、前記シートとを貫通する第一切断部と、
前記長手方向における前記第二媒体の前記一端からの距離が前記長手方向における前記第二媒体の前記他端よりも大きい前記シートの部分において、前記幅方向における前記シートの前記一端と、前記幅方向における前記第二媒体の前記中心との間に位置する第二終点まで延びる、前記シートとを貫通する切断部であって、前記長手方向における前記シートの前記第二終点の位置が、同じ組の前記第一媒体と前記第二媒体との間となる前記シートの前記長手方向における中心に対して、前記第一切断部と等距離となる位置にある第二切断部とを備えることを特徴とする請求項１〜１０の何れかに記載のテープ。
【請求項１２】
帯状のシートと、
前記シートの長手方向に互いに離間して連続して配置され、前記シートに剥離可能に貼り付けられている、複数の媒体と、
前記複数の媒体の内、隣合う２つの媒体の間となる前記シートの部分において、前記長手方向に直交する幅方向に延び、前記シートの厚み方向に貫通又は切り込まれた部分を含む第一分離線と、
前記幅方向において、前記隣合う２つの媒体の少なくとも一方の媒体の中心と、前記幅方向における前記少なくとも一方の媒体の一端との間に延び、且つ、前記長手方向における前記少なくとも一方の媒体の一端から他端までとなる前記シートの部分であって、前記少なくとも一方の媒体が貼り付けられた前記シートの部分に設けられた、前記シートの厚み方向に貫通又は切り込まれた部分を含む第二分離線と
を備えることを特徴とするテープ。
【請求項１３】
長手方向に延びるシートと、
前記シートに貼り付けられ、前記長手方向に沿って交互に配置される複数の第一媒体及び複数の第二媒体と、
前記シートの幅方向において、前記幅方向における前記第二媒体の中心と前記幅方向における前記第二媒体の一端との間、且つ、前記長手方向において、前記長手方向における前記第二媒体の一端から他端までとなる前記シートの部分であって、前記第二媒体が貼り付けられた前記シートの部分に設けられ、前記シートの厚み方向に貫通又は切り込まれた部分を含む分離線と、
前記第二媒体に設けられ、前記長手方向に延びる画像と、
を備えることを特徴とするテープ。
【請求項１４】
スプールと、
スプールに巻回された請求項１〜１３の何れかのテープと、
を備えることを特徴とするテープロール。
【請求項１５】
スプールと、
スプールに巻回された請求項１〜１１及び請求項１３の何れかのテープとを備えるテープロールであって、
前記同じ組の前記第一媒体と前記第二媒体とにおいて、前記テープロールの前記スプール側とは反対側の端部に、前記第二媒体が位置することを特徴とするテープロール。
【請求項１６】
請求項１５のテープロールと、
前記テープロールへの印刷に使用されるインクリボンが巻回されたリボンロールと、
前記テープロールと、前記リボンロールとを収容する筐体と、
前記インクリボンと、前記テープとを前記筐体の外側に露出させる開口部と、
前記開口部から前記筐体の前記外側に露出された前記テープを通す排出部とを備え、
前記開口部と前記排出部との間の長さは、前記複数組の前記第一媒体及び前記第二媒体の内の、前記シートの前記長手方向に隣合う２組の前記第一媒体及び前記第二媒体の間隔よりも短いことを特徴とするテープカセット。
【請求項１７】
請求項８又は９のテープがスプールに巻回されテープロールと、
前記テープロールへの印刷に使用されるインクリボンが巻回されたリボンロールと、
前記テープロールと、前記リボンロールとを収容する筐体とを備え、
前記インクリボンは、前記第一色と異なる第二色のインクを含む、
ことを特徴とするテープカセット。
【発明の詳細な説明】
【技術分野】
【０００１】
本発明は、テープ、テープロール、及びテープカセットに関する。
【背景技術】
【０００２】
特許文献１に記載の印刷装置は、帯状のテープに、テープの幅を超える画像を印刷する場合に、画像を印刷するための印刷データを複数の部分データに分割し、生成された複数の部分データをテープの長手方向の複数の領域に分けて印刷する機能を備える。印刷装置が複数の部分データに従ってテープに印刷した後、ユーザは、複数の部分データの各々に対応するテープを貼り合わせる。
【先行技術文献】
【特許文献】
【０００３】
【特許文献１】特開平１０−５８７５７号公報
【発明の概要】
【発明が解決しようとする課題】
【０００４】
複数のテープを貼り合わせる場合、正確に位置合わせされるのが望ましい。上記従来の印刷装置では、ユーザが複数のテープを貼り合わせる時には、剥離紙を全て剥がした状態でテープ同士の位置合わせを行う必要がある。そのため、貼り合わせる領域以外の粘着部分が手又は対象物に付着し、貼り合わせの作業性が悪い。
【０００５】
本発明の目的は、帯状のシートに貼り付けられた媒体に、媒体の幅サイズを超える画像を幅サイズに収まる大きさに分割して印刷する場合に、複数の媒体を貼り合わせる作業の作業性を向上したテープ、テープロール、及びテープカセットを提供することである。
【課題を解決するための手段】
【０００６】
本発明の第一態様に係るテープは、  帯状のシートと、前記シートの長手方向に、隣接して配置される第一媒体及び第二媒体であって、前記第一媒体と前記第二媒体とが前記長手方向に離間して剥離可能に貼り付けられている、複数組の前記第一媒体及び前記第二媒体と、前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、前記幅方向において、前記幅方向における前記第二媒体の中心と、前記幅方向における前記第二媒体の前記中心に対して、前記幅方向における前記シートの前記一端側に位置する前記幅方向における前記第二媒体の一端との間に延び、且つ、少なくとも、前記長手方向において、前記長手方向における前記第二媒体の中心に対して、前記長手方向における前記シートの一端側の前記長手方向における前記第二媒体の一端から他端までとなる前記シートの部分であって、前記第二媒体が貼り付けられた前記シートの部分に設けられた、前記シートの厚み方向に貫通又は切り込まれた部分を含む第二分離線とを備える。
【０００７】
第一態様のテープは、第二分離線によって、第二媒体の幅方向の両端の間の一部分のシートのみを剥離できる。一部分のシートを剥離した状態で、第二媒体を第一媒体に貼り合わせることで、第二媒体のシート側の面全体を露出させずに貼り合わせが可能となる。テープは、シートの長手方向に第一媒体と第二媒体が離間しているため、第一分離線に沿ってシートを切り離しやすい。
【０００８】
本発明の第二態様に係るテープは、帯状のシートと、前記シートの長手方向に互いに離間して連続して配置され、前記シートに剥離可能に貼り付けられている、複数の媒体と、前記複数の媒体の内、隣合う２つの媒体の間となる前記シートの部分において、前記長手方向に直交する幅方向に延び、前記シートの厚み方向に貫通又は切り込まれた部分を含む第一分離線と、前記幅方向において、前記隣合う２つの媒体の少なくとも一方の媒体の中心と、前記幅方向における前記少なくとも一方の媒体の一端との間に延び、且つ、前記長手方向における前記少なくとも一方の媒体の一端から他端までとなる前記シートの部分であって、前記少なくとも一方の媒体が貼り付けられた前記シートの部分に設けられた、前記シートの厚み方向に貫通又は切り込まれた部分を含む第二分離線とを備える。
【０００９】
第二態様のテープは、第二分離線によって、同じ組の２つの媒体の内の一方の幅方向の両端の間の一部分のシートのみを剥離できる。一部分のシートを剥離した状態で、一方の媒体を他方の媒体に貼り合わせることで、一方の媒体のシート側の面全体を露出させずに貼り合わせが可能となる。テープは、シートの長手方向に同じ組の２つの媒体が離間しているため、第一分離線に沿ってシートを切り離しやすい。
【００１０】
本発明の第三態様に係るテープは、長手方向に延びるシートと、前記シートに貼り付けられ、前記長手方向に沿って交互に配置される複数の第一媒体及び複数の第二媒体と、前記シートの幅方向において、前記幅方向における前記第二媒体の中心と前記幅方向における前記第二媒体の一端との間、且つ、前記長手方向において、前記長手方向における前記第二媒体の一端から他端までとなる前記シートの部分であって、前記第二媒体が貼り付けられた前記シートの部分に設けられ、前記シートの厚み方向に貫通又は切り込まれた部分を含む分離線と、前記第二媒体に設けられ、前記長手方向に延びる画像と、を備える。
【００１１】
第三態様のテープは、分離線によって、第二媒体の幅方向の両端の間の一部分のシートのみを剥離できる。一部分のシートを剥離した状態で、第二媒体を第一媒体に貼り合わせることで、第二媒体のシート側の面全体を露出させずに貼り合わせが可能となる。
【００１２】
本発明の第四態様に係るテープロールは、スプールと、スプールに巻回された第一態様、第二態様及び第三態様の何れかのテープと、を備える。第四態様のテープロールは、テープロールが備えるテープに応じて、第一態様、第二態様及び第三態様の何れかのテープと同様の効果を奏する。テープロールは、スプールによってテープをコンパクトに保持できる。
【００１３】
本発明の第五態様に係るテープロールは、スプールと、スプールに巻回された請求項１〜１１及び請求項１３の何れかのテープとを備えるテープロールであって、前記同じ組の前記第一媒体と前記第二媒体とにおいて、前記テープロールの前記スプール側とは反対側の端部に、前記第二媒体が位置する。第五態様のテープロールは、テープロールが備えるテープに応じて、第一態様及び第三態様の何れかのテープと同様の効果を奏する。テープロールは、スプールによってテープをコンパクトに保持できる。テープロールは、印刷時は第二媒体、第一媒体の順に印刷される。テープロールによれば、ユーザは第一媒体と第二媒体との双方の印刷が終了する前に、第二媒体の印刷が終了した時点で、第二媒体の貼り合わせ部分のシートを剥離する作業ができる。
【００１４】
本発明の第六態様に係るテープカセットは、第五態様のテープロールと、前記テープロールへの印刷に使用されるインクリボンが巻回されたリボンロールと、前記テープロールと、前記リボンロールとを収容する筐体と、前記インクリボンと、前記テープとを前記筐体の外側に露出させる開口部と、前記開口部から前記筐体の前記外側に露出された前記テープを通す排出部とを備え、前記開口部と前記排出部との間の長さは、前記複数組の前記第一媒体及び前記第二媒体の内の、前記シートの前記長手方向に隣合う２組の前記第一媒体及び前記第二媒体の間隔よりも短い。第六態様のテープカセットは、第四態様のテープロールと同様の効果を奏する。テープカセットは、カッタを備える印刷装置に取り付けられ、印刷を完了して、テープロールが切断された時に、次の組の第二媒体及び第一媒体の先端部を筐体内、つまり、印刷位置の手前に配置できる。
【００１５】
本発明の第七態様に係るテープカセットは、第五態様のテープロールであって、前記長手方向に延びる画像を備える前記第二媒体を有するテープがスプールに巻回されテープロールと、前記テープロールへの印刷に使用されるインクリボンが巻回されたリボンロールと、前記テープロールと、前記リボンロールとを収容する筐体とを備え、前記インクリボンは、前記第一色と異なる第二色のインクを含む。第七態様のテープカセットは、第五態様のテープロールと同様の効果を奏する。テープカセットは、印刷装置によって印刷される場合に、第二媒体に第一色及び第二色との二色の画像を形成できる。
【図面の簡単な説明】
【００１６】
【図１】印刷装置１の斜視図である。
【図２】カバー５を開けた状態の印刷装置１の斜視図である。
【図３】カバー５を開けた状態の印刷装置１から保護部３６を除いた平面図である。
【図４】第一ケース６７１を取り外した状態のテープカセット６の平面図である。
【図５】（Ａ）は図の左右方向をテープ６０の長手方向１６とした状態のテープ６０の図であり、（Ｂ）は第一媒体８と第二媒体９とが剥がされた場合のシート７における第一媒体８が貼り付けられていた部分８５と、第二媒体９が貼り付けられていた部分９５とを示す図であり、（Ｃ）は第一媒体８に画像８６が印刷され、第二媒体９に画像９６が印刷されたテープ６０を示す図である。
【図６】（Ａ）は印刷後の第一媒体８及び第二媒体９を含むテープ６０を、第一分離線４４及び第二分離線４３に沿ってテープ８７とテープ９７とに分離した状態を示す図で有り、（Ｂ）はテープ６０がテープ８７とテープ９７とに分離された後に、第一媒体８に第二媒体９を貼り付けた状態を示す図である。
【図７】（Ａ）は変形例のテープ６１を示す図であり、（Ｂ）は変形例のテープ６７を示す図であり、（Ｃ）は、変形例のテープ６８を示す図であり、（Ｄ）は変形例のテープ８９を示す図である。
【図８】（Ａ）〜（Ｄ）は各々変形例のテープが備えるシート１００、１１０、１１５、１１８において、第一媒体８と第二媒体９とが剥がされた場合の、第一媒体８が貼り付けられていた部分８５と、第二媒体９が貼り付けられていた部分９５とを示す図である。
【発明を実施するための形態】
【００１７】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００１８】
＜印刷装置１の概略構成＞
本実施形態に係る印刷装置１及びテープカセット６の概略構成について、図１〜図４を参照して順に説明する。以下の説明では、図１の上方、下方、右下方、左上方、右上方、左下方を各々、印刷装置１の前方、後方、右方、左方、上方、及び下方と定義する。図４の下方、上方、右方、左方、紙面前方、及び紙面後方を各々、テープカセット６の前方、後方、右方、左方、上方、及び下方と定義する。
【００１９】
図１に示すように、印刷装置１の形状は、略直方体状である。印刷装置１は、筐体２、カバー５、キーボード１１、機能キー群１２、液晶ディスプレイ１３、及び切断用ノブ１４を有する。筐体２及びカバー５は樹脂製である。筐体２は後方に開口を有する正面視矩形状の箱状体である。カバー５は、筐体２の後側に開閉自在に取り付けられる。図１はカバー５が閉じた状態であり、カバー５は筐体２の開口を覆う。キーボード１１は筐体２の前面の中心よりも下側に設けられる。キーボード１１は種々の文字入力等に用いられる。機能キー群１２はキーボード１１の上方に設けられる。機能キー群１２は、電源の入切及び印刷装置１の各種制御に用いられる。液晶ディスプレイ１３は機能キー群１２の上方に設けられる。液晶ディスプレイ１３は、入力された文字や記号等を表示する。切断用ノブ１４は、筐体２の右上に左下方向に移動可能に設けられた、筐体２から右上方に突出する部分である。
【００２０】
図２及び図３に示すように、印刷装置１は、筐体２内部に、電池装着部２１、カセット装着部２２、プラテンホルダ３８、プラテンローラ３０、テープサブローラ３１、保護部３６、排出口２６、可動刃１４１、及び固定刃１４２を備える。電池装着部２１は、筐体２内部の中心よりも右下側にある角部に設けられた、６本の電池を着脱可能な凹部である。
【００２１】
カセット装着部２２は、電池装着部２１の上側に隣接した凹部であり、テープカセット６を後方から装着可能である。図３に示すように、カセット装着部２２には、ヘッドホルダ２９１、サーマルヘッド２９、テープ駆動ローラ軸３２、リボン巻取軸３３、位置決ボス４１及びフック２５１、２５２等が配置される。ヘッドホルダ２９１は、カセット装着部２２の左右方向の中心よりも右側において上下方向に延びる板状の部材である。サーマルヘッド２９は、ヘッドホルダ２９１の右面に配設される。テープ駆動ローラ軸３２は、ヘッドホルダ２９１の上方において前後方向に延びる軸である。リボン巻取軸３３は、カセット装着部２２の略中央に設けられた前後方向に延びる軸である。リボン巻取軸３３は、テープカセット６に設けられたリボン巻取スプール６３１に嵌入されて回転駆動する。リボン巻取軸３３とテープ駆動ローラ軸３２とは、テープ６０とインクリボン６１３（図４参照）とが同じ搬送速度で搬送されるように回転駆動される。位置決ボス４１は、ヘッドホルダ２９１の上左側において前後方向に延びる円柱状である。フック２５１は、カセット装着部２２の下端部から後方に向け突出し、フック２５２はカセット装着部２２の上端部から後方に向けて突出する。フック２５１、２５２は、カセット装着部２２に装着されたテープカセット６に係合可能である。
【００２２】
プラテンホルダ３８は、カセット装着部２２の右方において上下方向に延び、下端部において、前後方向に延びる回動軸３７を中心に回動可能に軸支される。プラテンホルダ３８はプラテンローラ３０とテープサブローラ３１とを背面視反時計回りに回転可能に軸支する。プラテンローラ３０は、サーマルヘッド２９の右方に設けられる。テープサブローラ３１は、テープ駆動ローラ軸３２の右方且つプラテンローラ３０の上側近傍に設けられる。非図示のバネは、プラテンホルダ３８が回動軸３７を中心に右方へ回動するように付勢する。図２に示すように、保護部３６はプラテンホルダ３８の後方において上下方向に延びる。
【００２３】
排出口２６は筐体２の上端から下方向に延びる開口である。可動刃１４１及び固定刃１４２は排出口２６の下方において、テープカセット６のテープ６０の搬送経路の左右方向両側に設けられた刃である。可動刃１４１及び固定刃１４２の刃は搬送経路側に向く。可動刃１４１は右方にて切断用ノブ１４と当接する。切断用ノブ１４が左下方へ押圧操作されると、可動刃１４１は切断用ノブ１４に押されて固定刃１４２側へ移動する。この時可動刃１４１は、可動刃１４１と固定刃１４２との間に配置されたテープ６０を切断する。固定刃１４２と可動刃１４１とによって切断された印刷済みのテープ６０は、排出口２６から筐体２の外側に排出される。
【００２４】
＜テープカセット６の概略構成＞
図２に示すように、テープカセット６の形状は、平面視略長方形の直方体状である。図４に示すように、テープカセット６は、筐体６７０、一対の案内部材６９、リボン分離部７６、及びアーム部６５を有する。筐体６７０は、テープロール６００と、リボンロール２０とを収容する。筐体６７０は第一ケース６７１、第二ケース６７２を備える。第二ケース６７２は後方が開放する開口を有する箱状である。第一ケース６７１は第二ケース６７２の開口を塞ぐ板状である。
【００２５】
図４に示すように、テープカセット６は、第二ケース６７２に、支持孔７１１、７１２、７１３、テープロール６００、カセットボス７５１、リールボス７５２、リボンロール２０、テープ送りローラ６３２、ガイドピン７３１、７３２、７３３、及び排出部６４を備える。支持孔７１１は、テープロール６００のスプール７２を回動可能に支持する。テープロール６００はテープ６０がスプール７２に巻回されたものである。支持孔７１２は、リボン巻取スプール６３１を支持する。リボン巻取スプール６３１は、スプール７４に巻回されたリボンロール２０からインクリボン６１３を巻き取る。カセットボス７５１及びリールボス７５２は各々、第二ケース６７２の下面に立設される。カセットボス７５１は、スプール７２を回転可能に支持する。リールボス７５２は、リボンロール２０のスプール７４を回転可能に支持する。リボンロール２０はテープロール６００への印刷に使用されるインクリボン６１３がスプール７４に巻回されたものである。支持孔７１３は、テープ送りローラ６３２を回転可能に支持する。テープ送りローラ６３２はテープサブローラ３１（図３参照）と共に回動し、テープロール６００からテープ６０を引き出す。上下一対の案内部材６９は、テープ送りローラ６３２の右下側近傍に設けられる。リボン分離部７６は案内部材６９の左側近傍に設けられる。ガイドピン７３１は、支持孔７１２の上右方において前後方向に延び、印刷後のインクリボン６１３の移動を案内する。ガイドピン７３２はリールボス７５２の右下側において前後方向に延び、印刷前のテープ６０の移動を案内する。ガイドピン７３３はリールボス７５２の右上側において前後方向に延び、印刷前のインクリボン６１３の移動を案内する。排出部６４は支持孔７１３の右上側において、上右方に突出する部位である。排出部６４は排出口６３を備える。排出口６３は、上下方向に貫通する孔である。排出口６３の前後方向の幅は、テープ６０の前後方向の幅以上である。排出口６３は、後述の開口部７９から筐体６７０の外側に露出されたテープ６０を通す。
【００２６】
アーム部６５は、ガイドピン７３３の右付近から、上方に延びる。アーム部６５には、壁部７０、７８３、７８２、及び開口部７９を備える。壁部７０は、アーム部６５の右面である。壁部７８３は壁部７０の左方に、壁部７０に対して略平行に配置されたアーム部６５の左面である。壁部７８２は、アーム部６５の壁部７０と、壁部７８３との間の中央部に配置された、上下方向に延びる薄板状の部材である。開口部７９はリボンロール２０から繰り出されるインクリボン６１３と、テープロール６００から繰り出されるテープ６０とを筐体６７０の外側に露出させる。インクリボン６１３及びテープ６０は、開口部７９と案内部材６９との間において、テープカセット６の外側に露出した状態で保持される。開口部７９は、壁部７８２の上側近傍であって、アーム部６５の上端部に形成される。ヘッド挿入部６２は、アーム部６５の壁部７８３とアーム部６５に対向する側壁部７８１とによって、右上側が開放するＵ字状の凹部である。テープカセット６が印刷装置１のカセット装着部２２に装着された場合、ヘッド挿入部６２には、ヘッドホルダ２９１（図３参照）が挿入される。
【００２７】
＜印刷手順の概要＞
図２、図３、及び図４に示すように、テープカセット６が印刷装置１のカセット装着部２２に装着される場合、テープカセット６のリボン巻取スプール６３１及びテープ送りローラ６３２に各々、リボン巻取軸３３及びテープ駆動ローラ軸３２が嵌入されつつ、ヘッド挿入部６２にヘッドホルダ２９１が挿入される。位置決ボス４１は、カセットボス７５１に嵌入される。これにより、テープカセット６は、位置決めされた状態でカセット装着部２２に押し込まれ、カセット装着部２２に装着される。テープカセット６がカセット装着部２２に装着された後、カバー５が閉じられる。カバー５が閉じた場合、カバー５に設けられたローラホルダカム（非図示）が、プラテンホルダ３８を左方へ押圧する。プラテンホルダ３８は、非図示のバネの付勢力に抗して左方へ回動される。
【００２８】
印刷装置１が印刷処理を実行する場合、テープ６０は、スプール７２からガイドピン７３２を経てアーム部６５の壁部７０と壁部７８２との間を搬送される。インクリボン６１３は、スプール７４からガイドピン７３３を経てアーム部６５の壁部７８３と壁部７８２との間を搬送される。アーム部６５内、及び開口部７９から排出部６４までの間では、インクリボン６１３はテープ６０の左側に位置する。インクリボン６１３とテープ６０とは、左右方向に重ね合わされて開口部７９からヘッド挿入部６２へ搬送される。次いで、テープ６０とインクリボン６１３とは、プラテンローラ３０によってサーマルヘッド２９に押圧される。サーマルヘッド２９の発熱により、インクリボン６１３は左側から加熱される。これにより、テープ６０にインクが熱転写され、文字等の画像が印刷される。
【００２９】
次いで、インクリボン６１３は、リボン分離部７６によってテープ６０から分離される。分離されたインクリボン６１３は、ガイドピン７３１を経てリボン巻取スプール６３１に巻き取られる。リボン分離部７６によってインクリボン６１３が分離された印刷済みのテープ６０は、案内部材６９によって上下方向に規制されてテープ送りローラ６３２へ搬送される。次いで、印刷済みのテープ６０は、テープ駆動ローラ軸３２によって回転駆動されるテープ送りローラ６３２に対し、テープサブローラ３１によって押圧される。印刷済みのテープ６０は、テープ送りローラ６３２の回転により排出口６３を経て排出口２６から排出される。
【００３０】
＜テープ６０の概要＞
図５（Ａ）に示すように、テープ６０は、帯状のシート７、複数組の第一媒体８及び第二媒体９、第一分離線４４、並びに第二分離線４３を備える。シート７は、媒体が剥離可能に貼り付けられる部材である。本例では、シート７は、例えば、紙（例えば、グラシン紙、上質紙、クラフト紙）の表面に剥離剤（例えば、シリコン系）が塗布された剥離紙である。シート７は、樹脂フィルム等の剥離紙以外の部材（即ち、剥離フィルム）であってもよい。
【００３１】
各組の第一媒体８及び第二媒体９は、シート７の長手方向１６に隣接して配置され、第一媒体８と第二媒体９とが長手方向１６に離間してシート７に剥離可能に貼り付けられている。本例の第一媒体８及び第二媒体９はシート７の長手方向１６の長さ及び幅方向１７の長さが同じであり、互いに同じ形状、同じ大きさを有するラベルである。同じ形状、同じ大きさとは、完全同一である場合だけでなく、実質同一の場合を包含する。第一媒体８及び第二媒体９の地色は同一で、例えば白である。第一媒体８及び第二媒体９の地色は、白以外の色（黄、黒等）であってもよいし、互いに異なっていてもよい。また、地色は単色には限定されず、複数の色を含んでも良い。第一媒体８及び第二媒体９に所定のパターンが形成されてもよい。第一媒体８及び第二媒体９は、例えば、ＰＥＴ、ＰＶＣ、ＰＰ、ＰＥ、ＰＳ、ＡＢＳ等の樹脂で形成されたフィルムである。第一媒体８及び第二媒体９はシート７と対向する側の面に、粘着層を有する。粘着層は、例えばアクリル系の粘着剤を含む。第一媒体８及び第二媒体９は、粘着層によってシート７に貼付される。同じ組の第一媒体８と第二媒体９とにおいて、テープロール６００のスプール７２側とは反対側（図５（Ａ）における左側）の端部に、第二媒体９が位置する。即ち、同じ組の第一媒体８と第二媒体９との内の第一媒体８側がスプール７２側である。本例の同じ組の第一媒体８と第二媒体９は、長手方向１６において第一分離線４４の両側にある。
【００３２】
第二媒体９は、長手方向１６に延びる画像４２を備える。画像４２は、幅方向１７における第二媒体９の中心Ｍ２と、幅方向１７における第二媒体９の他端９４との間に配置される。本例の画像４２の色は、第二媒体９の地色とは異なる色である。例えば、第二媒体９の地色が白の場合、画像４２の色は、例えば黄色、赤色、橙色、青色等である。画像４２は単色で形成される場合に限定されず、複数の色やパターン等を含んでもよい。インクリボン６１３は、画像４２の色とは異なる色のインクであり、例えば黒色のインクを有する。具体的には、インクリボン６１３はインク層と基材とを含み、帯状である。基材は、例えばポリエチレンテレフタラート（ＰＥＴ）で形成される。インク層は、色素成分と、ワックス及び／又はレジン等のバインダー成分とを含む。インク層に含まれる色素成分は、インクリボン６１３が黒色のインクを有する場合、例えば、カーボン等である。長手方向１６に隣接する第一媒体８と第二媒体９とのペア１０は、長手方向に複数配列される。１のペア１０と、１のペア１０に隣り合う他のペア１０とは長手方向１６に離間する。本例では、１のペア１０と他のペア１０との長手方向１６の間となる部分には、シート７の厚み方向に貫通又は切り込まれた部分が含まれない。１のペア１０と他のペア１０との長手方向１６の間となる部分に、シート７の厚み方向に貫通又は切り込まれた部分が含まれてもよい。図４に示す開口部７９と排出部６４との間の長さＬは、図５（Ａ）に示す複数組の第一媒体８及び第二媒体９の内の、シート７の長手方向１６に隣合う２組の第一媒体８及び第二媒体９の間隔Ｄ１よりも短い。第一媒体８及び第二媒体９の幅方向１７の長さは、本例のシート７の幅方向１７の長さよりも長い。図５（Ｂ）に示すシート７の白色で示す部分のように、本例のシート７は第一媒体８又は第二媒体９が貼り付けられておらず、外部に露出している部分がある。
【００３３】
第一分離線４４は、長手方向１６において同じ組の第一媒体８と第二媒体９との間となるシート７において、長手方向１６に直交する幅方向１７の一端７１から他端７３の間に延びる。第一分離線４４は、シート７の厚み方向に貫通又は切り込まれた部分を含む。本例の第一分離線４４は、幅方向１７において、第二分離線４３から幅方向１７におけるシート７の他端７３まで延び、且つ、第二分離線４３と幅方向１７におけるシート７の一端７１との間には延びていない。第一分離線４４と第二分離線４３とは交点Ｑで交わる。交点Ｑは、幅方向１７における第一分離線４４の一端である。本例の第一分離線４４は、シート７の厚み方向に貫通するミシン目である。つまり第一分離線４４は一定間隔で設けられた、シート７を厚み方向に貫通する部分を含む。
【００３４】
第二分離線４３は、シート７の厚み方向に貫通又は切り込まれた部分を含む。図５（Ｂ）に示すように、第二分離線４３は、幅方向１７における第二媒体９の中心Ｍ２と、幅方向１７における第二媒体９の一端９３との間にある。幅方向１７における第二媒体９の一端９３は、幅方向１７における第二媒体９の中心Ｍ２に対して、幅方向１７におけるシート７の一端７１側に位置する。第二分離線４３は長手方向１６において長手方向１６における第二媒体９の一端９１から他端９２までとなるシート７の部分であって、第二媒体９が貼り付けられたシート７の部分９５に設けられる。本例の第二分離線４３は、第一分離線４４と同様に、シート７の厚み方向に貫通するミシン目である。第一分離線４４と、第二分離線４３とは各々、シート７の厚み方向に貫通又は切り込まれた部分を含めばよく、互いに異なる形態であってもよい。本例の第二分離線４３は、長手方向１６においてシート７の一端から他端まで切れ目なく連続する。つまり、第二分離線４３は、同じ組の第二媒体９が貼り付けられたシート７の部分９５と、第一媒体８が貼り付けられたシート７の部分８５とを含む、長手方向１６における第一媒体８の一端８１から長手方向１６における第二媒体９の他端９２に亘って延びる。長手方向１６における第一媒体８の一端８１は、長手方向１６における第一媒体８の中心Ｍ３に対してシート７の一端側（図中左方）にある。長手方向１６における第二媒体９の他端９２は、長手方向１６における第二媒体９の中心Ｍ４に対してシート７の他端側（図中右方）にある。本例の第二分離線４３は、シート７の第二媒体９が貼り付けられる部分９５に加え、シート７の第一媒体８が貼り付けられる部分８５、及び部分８５、９５の間に亘って形成される。第二分離線４３は、幅方向１７において幅方向１７におけるシート７の一端７１から３ｍｍ以上離間した位置に配置される。即ち、幅方向１７におけるシート７の一端７１から第二分離線４３及び交点Ｑまでの距離Ｄ２は３ｍｍ以上である。
【００３５】
〈テープ６０の製造方法〉
シート７の表面に帯状の媒体が貼られる。シート７に貼り付けられた媒体が、各組の第一媒体８と第二媒体９の形状に切断される。この時、シート７は切断されない（即ち、ハーフカット）。各組の第一媒体８及び第二媒体９以外の媒体が巻き上げられ、シート７から除去される。シート７に第一分離線４４、第二分離線４３が形成される。この時、第一媒体８及び第二媒体９は加工されない。第二媒体９に画像４２が形成される。上記各工程の順序は適宜変更されてよい。
【００３６】
第一媒体８及び第二媒体９は、印刷装置１に装着されたテープカセット６に内蔵される。第一媒体８及び第二媒体９には各々、例えば図５（Ｃ）の画像８６及び画像９６が印刷される。画像８６、９６は、第一媒体８及び第二媒体９の幅方向１７の大きさを超える元画像を媒体８、９の幅方向１７の大きさに収まる大きさに分割した画像である。元画像は、例えば、工場等で用いられる警告表示を表す。画像８６、９６を印刷するためのデータは公知の方法を利用して印刷装置１によって作成される。
【００３７】
〈第一媒体８と第二媒体９との貼り付け方法〉
図５及び図６を参照し、印刷装置１によって印刷済みの第一媒体８と第二媒体９とを幅方向１７に貼り合わせる手順について説明する。図５（Ｃ）に示すように、印刷装置１によって第一媒体８に画像８６が印刷され、第二媒体９に画像９６が印刷され、印刷済みの第一媒体８と、次の組の第二媒体９との間で、切断用ノブ１４の操作に基づきテープ６０が切断された場合を具体例とする。画像８６は、画像９６に対して１８０度回転されている。本例のテープ６０では、同じ組の第一媒体８と第二媒体９とにおいて、テープロール６００のスプール７２側とは反対側の端部に、第二媒体９が位置する為、第二媒体９の印刷が先に実行される。ユーザは第二媒体９が印刷後、第二媒体９が排出口６３から排出されると、第一媒体８の印刷が終了前に、分離作業を開始できる。分離作業では、ユーザは、第一分離線４４に沿ってシート７を分断した後、第一分離線４４と交点Ｑで交わる部分９５内にある第二分離線４３に沿ってシート７を分断する。分離作業は、第一媒体８が印刷された後に実行されてもよい。第一媒体８が印刷された後、ユーザは切断用ノブ１４を操作して、長手方向１６において印刷済みの第一媒体８と、次の組の第二媒体９との間で、シート７を切断する。
【００３８】
上記の作業によって図６（Ａ）に示す如く、テープ６０が、印刷済みの第一媒体８を含むテープ８７と、印刷済みの第二媒体９を含むテープ９７とに分離される。テープ８７は、部分シート７７、７５、及び第一媒体８を含む。部分シート７７は、シート７の内の部分８５を含む矩形状の部分である。部分シート７５は、部分シート７７の交点Ｑから、長手方向１６において、第一分離線４４に対して第一媒体８側とは反対側に延びる。部分シート７７、７５は連続している。テープ９７は、部分シート７８及び第二媒体９を含む。幅方向１７における第二媒体９の一端９３側の粘着層は、長手方向１６に沿ってシート７が剥がされ、外部に露出している。ユーザはテープ８７を１８０度回転し、所定の位置で幅方向１７における第一媒体８の一端８３側に、幅方向１７における第二媒体９の一端９３を重ね合わせる。具体的には図６（Ｂ）に示すように、ユーザは、長手方向１６における第一媒体８の一端８１が長手方向１６における第二媒体９の他端９２と一致し、長手方向１６における第一媒体８の他端８２が長手方向１６における第二媒体９の一端９１と一致する位置で、幅方向１７における第一媒体８の一端８３側の部分に第二媒体９の一端９３側の外部に吐出した粘着層を貼り合わせる。これらの作業によりユーザは、第一媒体８と第二媒体９とを一体の媒体９９として取り扱うことができる。媒体９９を壁等の対象物に貼り付ける場合、ユーザは部分シート７７、７８を媒体９９から剥がし、媒体９９を所望の位置に貼り付ける。
【００３９】
上記実施形態において、テープ６０、スプール７２、テープロール６００、インクリボン６１３、リボンロール２０、テープカセット６、筐体６７０、開口部７９、及び排出部６４は各々、本発明のテープ、スプール、テープロール、リボンロール、テープカセット、筐体、開口部、及び排出部の一例である。シート７、第一媒体８、第二媒体９、第一分離線４４、及び第二分離線４３は各々、本発明のシート、第一媒体、第二媒体、第一分離線、及び第二分離線の一例である。長手方向１６におけるシート７の一端７１及び他端７３は各々、本発明の長手方向におけるシートの一端及び他端の一例である。長手方向１６における第一媒体８の一端８１及び他端８２、並びに幅方向１７における第一媒体８の一端８３及び他端８４は各々、長手方向における第一媒体の一端及び他端、並びに幅方向における第一媒体の一端及び他端の一例である。長手方向１６における第二媒体９の一端９１及び他端９２、並びに幅方向１７における第二媒体９の一端９３及び他端９４は各々、長手方向における第二媒体の一端及び他端、並びに幅方向における第二媒体の一端及び他端の一例である。
【００４０】
上記実施形態のテープカセット６は、テープロール６００を有する。テープロール６００のテープ６０は、第二分離線４３によって、幅方向１７における第二媒体９の両端９３、９４の間の一部分のシート７のみを剥離できる。図６に示すように、一部分のシート７を剥離した状態で、第二媒体９を第一媒体８に貼り合わせることで、第二媒体９のシート７側の面全体を露出させずに貼り合わせが可能となる。テープ６０は、シート７の長手方向１６に第一媒体８と第二媒体９が離間しているため、第一分離線４４に沿ってシート７を切り離しやすい。
【００４１】
同じ組の第一媒体８及び第二媒体９において、第一媒体８は第二媒体９に対して、長手方向１６におけるシート７の一端側に配置される。第二分離線４３は、同じ組の第二媒体９が貼り付けられたシート７の部分と、第一媒体８が貼り付けられたシート７の部分とを含む、長手方向１６における第一媒体８の中心に対して、長手方向１６における第一媒体８の一端８１と、長手方向１６における第二媒体９の他端９２との間で延びる。故にテープ６０は、貼り合わせ部分のシート７を第二分離線４３に沿って簡単に剥がすことができ、第二媒体９の貼り合せ部分を露出させやすい。テープ６０では、ユーザは、印刷結果に応じて、第一媒体８及び第二媒体９の何れに貼り合わせ部分を設けるかを決定できる。
【００４２】
第一分離線４４は、幅方向１７において、第二分離線４３から幅方向１７におけるシート７の他端７３まで延び、且つ、第二分離線４３と幅方向１７におけるシート７の一端７１との間には延びていない。図６に示すようにテープ６０は、第二媒体９の貼り合せ部分のシート７を剥離する際に、第二分離線４３より一端７１側のシート７を第一媒体８が貼られた部分のシート７と連続させた状態を維持しやすい。故にテープ６０は、第一媒体８と第二媒体９とを貼り合わせる際に生じる部分シートの数を２つにできる。
【００４３】
第二分離線４３は、幅方向１７において幅方向１７におけるシート７の一端７１から３ｍｍ以上離間した位置に配置される。テープ６０は、第二分離線４３が、シート７の一端７１から３ｍｍ未満の位置に配置されている場合に比べ、第一媒体８と第二媒体９との貼り合せ部分を剥離しやすい。シート７の一端７１から第二分離線４３までが３ｍｍ以上ある場合、仮にシート７が紙で構成されている場合であっても剥離作業を行うのに十分な幅となる。故にテープ６０では第二分離線４３に沿ってシート７をシート７の一端７１から剥離する際に、部分シート７５が千切れにくい。
【００４４】
第二媒体９は、長手方向１６に延びる画像４２を備える。第一媒体８と第二媒体９とを貼り合わせる場合、画像４２が形成された第二媒体９が、第一媒体８よりも上側に貼り付けられる可能性が高い。テープ６０は、図６（Ｂ）に示すように、第二媒体９の貼り合せ部分を第一媒体８の表面に貼り合わせ、第二媒体９を上側にして媒体９９を対象物に貼り付けた場合に、貼り合わせ部分で第二媒体９の貼り合せ部分が下を向く為、厚み方向の段差部分が下を向くことになる。その結果、媒体９９には貼り合わせ部分に埃、薬剤、水分等の異物が溜まりにくく、媒体９９に印刷された画像の劣化や、貼り合わせ部分において第一媒体８から第二媒体９が部分的に剥がれる現象（浮き）を軽減できる。
【００４５】
画像４２は、幅方向１７における第二媒体９の中心Ｍ２と、幅方向１７における第二媒体９の他端９４との間に配置される。図６（Ｂ）に示すように、テープ６０は、第二媒体９の貼り合せ部分を第一媒体８に貼り合わせ、第二媒体９を上側にして媒体９９を対象物に貼り付けた場合に、画像４２を、媒体９９の上側に配置できる。
【００４６】
テープロール６００は、スプール７２と、スプール７２に巻回されたテープ６０とを備える。テープロール６００は、スプール７２によってテープ６０をコンパクトに保持できる。テープロール６００は、同じ組の第一媒体８と第二媒体９とにおいて、第一媒体８に対してテープロール６００のスプール７２側とは反対側に、第二媒体９が位置する。テープロール６００は、印刷時に第二媒体９、第一媒体８の順に印刷される。テープロール６００によれば、ユーザは第一媒体８と第二媒体９との双方の印刷が終了する前に、第二媒体９の印刷が終了した時点で、第二媒体９の貼り合わせ部分のシート７を剥離する作業ができる。
【００４７】
テープカセット６は、テープロール６００、リボンロール２０、筐体６７０、開口部７９、及び排出部６４を備える。リボンロール２０は、テープロール６００への印刷に使用されるインクリボン６１３が巻回されている。筐体６７０は、テープロール６００と、リボンロール２０とを収容する。開口部７９は、インクリボン６１３と、テープ６０とを筐体６７０の外側に露出させる。排出部６４は、開口部７９から筐体６７０の外側に露出されたテープ６０を通す。開口部７９と排出部６４との間の長さＬは、複数組の第一媒体８及び第二媒体９の内の、シート７の長手方向１６に隣合う２組の第一媒体８及び第二媒体９の間隔Ｄ１よりも短い。テープカセット６は、排出部６４に隣接して配置されるカッタ（可動刃１４１及び固定刃１４２）を備える印刷装置１に取り付けられ、印刷を完了して、テープ６０が切断された時に、次の組の第二媒体９及び第一媒体８の第二媒体９の端部を筐体６７０内、つまり、サーマルヘッド２９と対向する印刷位置よりも搬送方向上流側に配置できる。搬送方向上流側は、長手方向１６においてスプール７２側である。
【００４８】
テープカセット６は、テープロール６００、リボンロール２０、及び筐体６７０を備える。テープロール６００は、テープ６０がスプール７２に巻回されている。リボンロール２０はテープ６０への印刷に使用されるインクリボン６１３が巻回されている。筐体６７０は、テープロール６００と、リボンロール２０とを収容する。テープ６０の第二媒体９は、第一色にて形成された画像４２を有する。インクリボン６１３は、第一色と異なる第二色のインクを含む。テープカセット６によれば、第一媒体８と第二媒体９とを貼り合わせた媒体９９には、第一色と、第二色とで表される画像を形成できる。
【００４９】
＜変形例＞
本発明のテープ、テープロール、及びテープカセットは上記実施形態に限定されるものではなく、本発明の要旨を逸脱しない範囲内において種々変更が加えられてもよい。例えば、以下の変形が適宜加えられてもよい。上記実施形態と下記の変形例とで同じ構成を有する部材には、同じ符号を付与して説明する。
【００５０】
第一媒体及び第二媒体の形状、大きさ、及び色等は適宜変更されてよい。例えば、第二媒体はテープの長手方向に延びる画像を備えなくてもよい。具体的には図７（Ａ）に示すように、変形例のテープ６１は、シート７と、複数組の２つの第一媒体８とを備えてもよい。２つの第一媒体８は、シート７と互いに同じ形状且ついずれも画像を備えない。シート７は第一分離線４４と第二分離線４３を備える。第一分離線４４は、同じ組８０の２つの第一媒体８の間となるシート７の部分において、幅方向１７に延びる。例えば、第一媒体及び第二媒体は同じ形状でなくてもよいし、シートの長手方向における第一媒体及び第二媒体の長さは同じでなくてもよい。例えば、第一媒体と第二媒体とは各々半円状であり、第一媒体に第二媒体を貼り合わせることで、円状の媒体を構成してもよい。
【００５１】
シートの構成は適宜変更されてよい。図７（Ｂ）に示すように、変形例のテープ６７は、シート９０と、複数組の第一媒体８及び第二媒体９を備えてもよい。シート９０は、第一分離線４４を備えず、第二分離線４３を備える。この場合ユーザは同じ組の第一媒体８及び第二媒体９の間で、切断用ノブ１４等を操作して、第一媒体８及び第二媒体９の間でシート７を幅方向１７に切断すればよい。図４に示す開口部７９と排出部６４との間の長さＬは、図７（Ｂ）に示す複数組の第一媒体８及び第二媒体９の内の、シート７の長手方向１６に隣合う２組の第一媒体８及び第二媒体９の間隔Ｄ３よりも長くてもよい。
【００５２】
複数組の第一媒体８及び第二媒体９のうち、隣合う組の第一媒体８及び第二媒体９の間に、他の媒体が配置されてもよい。例えば、図７（Ｃ）に示すように、変形例のテープ６８は円形５１、三角形５２、及び菱形５３の何れか１つの形状の第三媒体５０であって、シート７の長手方向１６において、隣合う第一媒体８及び第二媒体９の間に配置される第三媒体５０を備えてもよい。第三媒体５０は円形５１、三角形５２、及び菱形５３の何れかの少なくとも一種類の媒体を含めばよい。第三媒体５０は第一媒体８及び第二媒体９とは異なる色であってもよい。第三媒体５０はインクリボン６１３の色とは異なる色であってもよい。変形例のテープ６８は、第一媒体８、第二媒体９、及び第三媒体５０を適宜組み合わせることで、警告を表す印刷媒体の規格（例：ＡＮＳＩ  Ｚ５３５、ＩＥＣ６０４１７）に合致した印刷媒体が作成できる。
【００５３】
シートに対する第一媒体及び第二媒体の配置は適宜変更されてよい。例えば、図７（Ｄ）に示すテープ８９のように、同一の形状を有する第一媒体８と、第二媒体９とで幅方向１７の向きが異なっていてもよい。このようにした場合、第二媒体９に印刷される画像９６に対して、第一媒体８に印刷される画像８６が、１８０度回転していなくてもよい。例えば、図８（Ａ）に示す変形例のシート１００のように、幅方向１７におけるシート１００の一端７１は、幅方向１７における第一媒体８の一端８３、及び、幅方向１７における第二媒体９の一端９３よりも、幅方向１７における第二媒体９の中心Ｍ２から遠い。つまり、幅方向１７における第一媒体８の一端８３及び幅方向１７における第二媒体９の一端９３は、幅方向１７におけるシート１００の一端７１と一致しない。第一分離線１０２は、幅方向１７におけるシート７の一端７１まで延びる。シート１００を備えるテープは、媒体に縁なし印刷をした場合に、幅方向１７の印刷位置がずれ、印刷された画像が媒体８、９の幅方向１７における一端８３、９３からはみ出しても、シート１００が延設されている範囲であれば、はみ出された画像はシート１００に印刷され、印刷装置１を傷めない。第二分離線１０４は、上記実施形態の第二分離線４３よりも、幅方向１７におけるシート１００の他端７３側にある。例えば、同じ組の第一媒体８及び第二媒体９において、第一媒体８はスプール７２側とは反対側に位置してもよい。
【００５４】
第一分離線の形状、及び延設範囲は適宜変更されてよい。例えば図８（Ｂ）のシート１１０、図８（Ｃ）のシート１１５、図８（Ｄ）のシート１１８に示すように、変形例の第一分離線１１４は、第一部分４６と第二部分４７とを備えてもよい。第一部分４６は、幅方向１７におけるシート１１０、１１５、１１８の他端７３から、幅方向１７におけるシート１１０、１１５、１１８の他端７３よりも第二分離線４３、１１６に近い特定位置Ｐまで、幅方向１７に平行に延びる。第二部分４７は、特定位置Ｐから第二分離線４３まで、第二媒体９に近づく方向に延びる。本例の第二部分４７は円弧状である。第二部分４７は直線状でもよい。第一分離線と第二分離線とが直交する場合、第一分離線及び第二分離線に沿って切り離す際に、第一分離線と第二分離線とが交差する部分に応力が集中して、シートの幅方向の一端側にシートが破断しやすい。第二部分が設けられることで、第一分離線と第二分離線との接続部分に加わる応力集中を緩和して、第一分離線及び第二分離線に沿って切り離す際に、シートが途中で破断し難くなる。つまり、シート１１０、１１５、１１８の何れかを備えるテープは、第一分離線１１４及び第二分離線４３、１１６に沿って、シート１１０、１１５、１１８を分離することで、第二分離線４３、１１６により一端７１側にあるシート１１０、１１５、１１８を、第一媒体８が貼られた部分と連続させた状態で、第二媒体９の貼り合せ部分９５のシート１１０、１１５、１１８を剥離しやすい。
【００５５】
テープの長手方向における第二分離線の延設範囲は適宜変更されてよい。例えば、図８（Ｃ）のシート１１５及び図８（Ｄ）のシート１１８に示すように、第二分離線１１６は、シート７の第一媒体８が貼られた部分を避け、その外に伸びる。該テープは、第二分離線１１６に沿って、第二媒体９の貼り合せ部分９５のシート１１５、１１８が剥離される際に、シート１１５、１１８の第一媒体８が貼られた部分８５が剥がされにくい。故にテープは、第二媒体９の貼り合せ部分９５のシート１１５、１１８が剥離される際に、シート１１５、１１８の第一媒体８が貼られた部分８５が剥がされる場合に比べ、剥離されるシート１１５、１１８の分離片の数が少ない。
【００５６】
第一分離線及び第二分離線は各々、シートの厚み方向に貫通又は切り込まれた部分を含めばよく、シートの厚み方向には貫通しない、シートの厚み方向に切り込まれた部分であってもよい。シートの厚み方向に切り込まれた部分は、例えば、厚み方向の断面形状が、Ｖ字状又はＵ字状の凹部であってもよいし、厚み方向に延びる線状であってもよい。シートの厚み方向に切り込まれた部分は、シートの表面に設けられてもよいし、裏面に設けられてもよい。
【００５７】
テープは貼り付け時の位置合わせ可能に構成されてよい。例えば、図８（Ｄ）に示すように、シート１１８は第一切断部１８と第二切断部１９とを備えてもよい。第一切断部１８は、長手方向１６における第一媒体８の一端８１と、長手方向１６における第一媒体８の他端８２との間の距離よりも、長手方向１６における第一媒体８の他端８２から距離が大きいシート７の部分において、幅方向１７におけるシート７の一端７１と、幅方向１７における第一媒体８の中心Ｍ６との間に位置する第一終点Ｅ１まで延びる。第一切断部１８はシート７とを貫通する。第一切断部１８は長手方向１６における第一媒体８の一端８１よりも、長手方向１６における第一媒体８の他端８２から距離が大きいシート１１８の部分に配置される。長手方向１６における第一媒体８の一端８３は、長手方向１６における第一媒体８の中心に対して、長手方向１６におけるシート７の一端側の端部である。第一切断部１８は、幅方向１７におけるシート１１８の一端７１から、第一終点Ｅ１まで延びる。第一終点Ｅ１は、幅方向に１７において一端７１と幅方向１７における第一媒体８の中心Ｍ１との間に位置する。第一切断部１８は、シート１１８を貫通する。第二切断部１９は、長手方向１６における第二媒体９の一端９１からの距離が長手方向１６における第二媒体９の他端９２よりも大きいシート１１８の部分に配置される。第二切断部１９は、幅方向１７におけるシート１１８の一端７１から、第二終点Ｅ２まで延び、シート１１８を貫通する。第二終点Ｅ２は、幅方向１７において一端７１と、幅方向１７における第二媒体９の中心Ｍ２との間に位置する。第二切断部１９は、シート１１８の長手方向１６における第二終点Ｅ２の位置が、同じ組の第一媒体８と第二媒体９との間となるシート７の長手方向１６における中心に対して、第一切断部１８と等距離となる位置にある。つまり、第一分離線４４から第一終点Ｅ１までの距離と、第一分離線４４から第二終点Ｅ２までの距離とは等しい。シート１１８を備えるテープは、媒体の幅サイズを超える元画像を幅サイズに収まる大きさに分割して印刷する場合に、第一切断部１８と第二切断部１９を噛み合わせることで、貼り合わせ時に、第一媒体と第二媒体の長手方向１６の位置を精度よく合わせられる。幅方向１７における第一媒体８の一端８３から第一終点Ｅ１までの距離と、幅方向１７における第二媒体９の一端９３から第二終点Ｅ２までの距離との和は、幅方向１７における第二媒体９の一端９３から第二分離線１１６までの距離と等しくするのが好ましい。より好ましくは、幅方向１７における第一媒体８の一端８３から第一終点Ｅ１までの距離と、幅方向１７における第二媒体９の一端９３から第二終点Ｅ２までの距離とは各々、幅方向１７における第二媒体９の一端９３から第二分離線１１６までの距離の半分であることが好ましい。このように終点Ｅ１、Ｅ２が配置された場合、第一切断部１８と第二切断部１９を終点Ｅ１、Ｅ２を当接するように噛み合わせることで、第一媒体８と第二媒体９とを貼り合わせる際に、幅方向１７の位置合わせもできる。
【００５８】
テープは、スプールに巻回されなくてもよい。テープロールはカセットに取り付けられていなくてもよい。テープカセット、及びテープカセットが装着される印刷装置の構成は各々適宜変更されてよい。テープの第一媒体及び第二媒体は印刷されなくてもよい。第一媒体、第二媒体、及びインクリボンのインクの色及び材質等は適宜変更されてよい。上記実施形態及び変形例は適宜組み合わされてもよい。テープの製造方法は適宜変更されてよい。テープは、シートと同様な形状の媒体の内、各組の第一媒体及び第二媒体以外の一部又は全部がシートに貼り付けられたままでもよく、その場合各組の第一媒体及び第二媒体以外の媒体を巻き上げる工程が適宜省略されてもよい。
【符号の説明】
【００５９】
６：テープカセット、７、９０、１００、１１０、１１５、１１８：シート、８：第一媒体、９：第二媒体、１６：長手方向、１７：幅方向、１８：第一切断部、１９：第二切断部、２０：リボンロール、４２：画像、４３、１０４、１１６：第二分離線、４４、１０２、１１４：第一分離線、５０：第三媒体、６０、６１、６７、６８、８７、９７：テープ、６４：排出部、７２：スプール、７９：開口部、７１、８１、８３、９１、９３：一端、７３、８２、８４、９２、９４：他端、６１３：インクリボン、６７０：筐体
【図１】
2019043017.tif 000003
【図２】
2019043017.tif 000004
【図３】
2019043017.tif 000005
【図４】
2019043017.tif 000006
【図５】
2019043017.tif 000007
【図６】
2019043017.tif 000008
【図７】
2019043017.tif 000009
【図８】
2019043017.tif 000010